(57)【特許請求の範囲】
【請求項１】
装置の電源投入時のオープニング画面および電源切断時のクロージング画面の少なくとも一方を表示するテープ印刷装置であって、
前記オープニング画面および前記クロージング画面は、
ユーザにより編集可能な編集可能領域と、所定の画像が割り当てられ、ユーザによる編集が不可能な編集不可能領域と、を有し、
前記オープニング画面および前記クロージング画面に用いるビットマップ形式の画像であるビットマップ画像、およびテキストデータの少なくとも一方を作成するための画面情報作成手段と、
前記画面情報作成手段により作成された１以上の前記ビットマップ画像および前記テキストデータの少なくとも一方を記憶する画面情報記憶手段と、
前記オープニング画面および前記クロージング画面に用いる１以上の所定のビットマップ画像を予め記憶する第１画像記憶領域と、
前記画面情報記憶手段に、前記画面情報作成手段により作成された前記ビットマップ画像および前記テキストデータの少なくとも一方が存在するか否かを判別し、判別の結果、前記画面情報記憶手段に前記ビットマップ画像および前記テキストデータの少なくとも一方が存在する場合、前記画面情報記憶手段に記憶した前記ビットマップ画像および前記テキストデータのいずれか一方を前記編集可能領域に割り当て、
前記画面情報記憶手段に前記ビットマップ画像および前記テキストデータが存在しない場合、前記第１画像記憶領域に記憶した前記所定のビットマップ画像を前記編集可能領域に割り当てて、前記オープニング画面および前記クロージング画面の少なくとも一方を生成する画面生成手段と、
電源操作に伴って、前記オープニング画面および前記クロージング画面の少なくとも一方を表示する表示手段と、を備えたことを特徴とするテープ印刷装置。
【請求項２】
前記編集可能領域は、複数の領域に分割されており、
前記画面生成手段は、分割された前記複数の領域のそれぞれに対して、前記ビットマップ画像を割り当てることを特徴とする請求項１に記載のテープ印刷装置。
【請求項３】
前記オープニング画面および前記クロージング画面のそれぞれの表示時間を設定する時間設定手段を、さらに備え、
前記表示手段は、
前記時間設定手段による設定にしたがって前記オープニング画面および前記クロージング画面を表示することを特徴とする請求項１または２に記載のテープ印刷装置。
【請求項４】
前記編集可能領域および前記編集不可能領域を表示する「表示」と、少なくとも前記編集可能領域を表示しない「非表示」とを切り替える表示状態切替手段を、さらに備え、
前記表示手段は、
前記表示状態切替手段により「非表示」に切り替えられた場合、前記オープニング画面においては前記編集可能領域のみを非表示にし、前記クロージング画面においては前記編集可能領域および前記編集不可能領域を非表示とすることを特徴とする請求項１ないし３のいずれか１項に記載のテープ印刷装置。
【請求項５】
前記オープニング画面および前記クロージング画面のいずれか一方の編集可能領域を構成する前記１以上のビットマップ画像を１セットとし、
前記画面情報記憶手段は、
前記１セットのビットマップ画像を複数セット記憶し、
前記画面生成手段は、
所定時間間隔で、前記複数セットのビットマップ画像を１セットずつ前記編集可能領域に割り当てることで、動画形式の前記オープニング画面および前記クロージング画面のいずれか一方を生成し、
前記表示手段は、
生成された前記オープニング画面および前記クロージング画面のいずれか一方を表示することを特徴とする請求項１ないし４のいずれか１項に記載のテープ印刷装置。
【発明の詳細な説明】
【技術分野】
【０００１】
本発明は、電源操作に伴って、所定の画面を表示するテープ印刷装置に関するものである。
【背景技術】
【０００２】
従来、ユーザのキー入力等により入力された１以上の文字列（文字、図形、記号を含む）をテープに印刷するテープ印刷装置（テープライタ）が知られている。このテープ印刷装置は、ユーザにより電源が投入されると、最低限必要なシステムの初期化処理が行われる。そして、その後、ユーザが文字列を入力するための画面を表示部（液晶パネル）に表示する（例えば、特許文献１参照）。
【特許文献１】特開平８−１０８６０２号公報
【発明の開示】
【発明が解決しようとする課題】
【０００３】
ところで、一般的なテープ印刷装置では、電源投入操作に伴い、所定時間の間オープニング画面を表示する。このオープニング画面には、製造元固有のブランド名や著作権情報（コピーライト）等が表示されており、当該オープニング画面を表示する間にシステムの初期化処理等が行われる。このオープニング画面の表示内容（ブランド名や著作権情報等）は、製造元から見ると意味のあるものである。特に、著作権情報は、当該製品の権利を明確にするものとして必要であると考えられる。しかしながら、ユーザ側から見るとこれらオープニング画面に表示される内容は意味のない情報であることが多く、この表示内容を気に留めるユーザは少ないのが現状である。それにも拘らず、従来のテープ印刷装置では、ユーザにとって意味のある内容を表示するように、ユーザがオープニング画面を変更することができなかった。
【０００４】
本発明は、上記の問題点に鑑みたものであり、電源操作に伴い表示される画面を変更することができるテープ印刷装置を提供することを目的とする。
【課題を解決するための手段】
【０００５】
本発明のテープ印刷装置は、装置の電源投入時のオープニング画面および電源切断時のクロージング画面の少なくとも一方を表示するテープ印刷装置であって、オープニング画面およびクロージング画面は、ユーザにより編集可能な編集可能領域と、所定の画像が割り当てられ、ユーザによる編集が不可能な編集不可能領域と、を有し、オープニング画面およびクロージング画面に用いるビットマップ形式の画像であるビットマップ画像、およびテキストデータの少なくとも一方を作成するための画面情報作成手段と、画面情報作成手段により作成された１以上のビットマップ画像およびテキストデータの少なくとも一方を記憶する画面情報記憶手段と、オープニング画面およびクロージング画面に用いる１以上の所定のビットマップ画像を予め記憶する第１画像記憶領域と、画面情報記憶手段に、画面情報作成手段により作成されたビットマップ画像およびテキストデータの少なくとも一方が存在するか否かを判別し、判別の結果、画面情報記憶手段にビットマップ画像およびテキストデータの少なくとも一方が存在する場合、画面情報記憶手段に記憶したビットマップ画像およびテキストデータのいずれか一方を編集可能領域に割り当て、画面情報記憶手段にビットマップ画像およびテキストデータが存在しない場合、第１画像記憶領域に記憶した所定のビットマップ画像を編集可能領域に割り当てて、オープニング画面およびクロージング画面の少なくとも一方を生成する画面生成手段と、電源操作に伴って、オープニング画面およびクロージング画面の少なくとも一方を表示する表示手段と、を備えたことを特徴とする。
上記のテープ印刷装置において、編集可能領域は、複数の領域に分割されており、画面生成手段は、分割された複数の領域のそれぞれに対して、ビットマップ画像を割り当てることが好ましい。
上記のテープ印刷装置において、オープニング画面およびクロージング画面のそれぞれの表示時間を設定する時間設定手段を、さらに備え、表示手段は、時間設定手段による設定にしたがってオープニング画面およびクロージング画面を表示することが好ましい。
上記のテープ印刷装置において、編集可能領域および編集不可能領域を表示する「表示」と、少なくとも編集可能領域を表示しない「非表示」とを切り替える表示状態切替手段を、さらに備え、表示手段は、表示状態切替手段により「非表示」に切り替えられた場合、オープニング画面においては編集可能領域のみを非表示にし、クロージング画面においては編集可能領域および編集不可能領域を非表示とすることが好ましい。
上記のテープ印刷装置において、オープニング画面およびクロージング画面のいずれか一方の編集可能領域を構成する１以上のビットマップ画像を１セットとし、画面情報記憶手段は、１セットのビットマップ画像を複数セット記憶し、画面生成手段は、所定時間間隔で、複数セットのビットマップ画像を１セットずつ編集可能領域に割り当てることで、動画形式のオープニング画面およびクロージング画面のいずれか一方を生成し、表示手段は、生成されたオープニング画面およびクロージング画面のいずれか一方を表示することが好ましい。
なお、以下の構成としても良い。
本発明のテープ印刷装置は、装置の電源投入時のオープニング画面および電源切断時のクロージング画面の少なくとも一方を表示するテープ印刷装置であって、オープニング画面および前記クロージング画面は、ユーザにより編集可能な編集可能領域と、所定の画像が割り当てられ、ユーザによる編集が不可能な編集不可能領域と、を有し、オープニング画面およびクロージング画面に用いるビットマップ形式の画像である１以上のビットマップ画像、およびテキストデータの少なくとも一方を記憶する画面情報記憶手段と、記憶した１以上のビットマップ画像およびテキストデータのいずれか一方を編集可能領域に割り当て、オープニング画面およびクロージング画面の少なくとも一方を生成する画面生成手段と、電源操作に伴って、オープニング画面およびクロージング画面の少なくとも一方を表示する表示手段と、を備えたことを特徴とする。
【０００６】
この構成によれば、テープ印刷装置の電源操作に伴い表示されるオープニング画面またはクロージング画面を、ユーザにより編集可能な編集可能領域と、所定の画像が割り当てられ、ユーザによる編集が不可能な編集不可能領域とで構成する。そして、画面情報記憶手段に記憶した１以上のビットマップ画像またはテキストデータを当該編集可能領域に割り当て、オープニング画面またはクロージング画面を生成する。そして、電源操作に伴ってこれら画面の少なくとも一方を表示部（表示手段）に表示する。つまり、編集可能領域に割り当てるビットマップ画像またはテキストデータを変更することで、様々なオープニング画面およびクロージング画面を生成して表示することができる。これにより、例えば、ユーザが所望するビットマップ画像やテキストデータを画面情報記憶手段に記憶させておくことにより、ユーザの好みに応じた（ユーザオリジナルの）オープニング画面およびクロージング画面を生成して表示することができる（ユーザが、オープニング画面およびクロージング画面を変更することができる）。また、オープニング画面およびクロージング画面の編集不可能領域に割り当てられる所定の画像を、製造元にとって重要な情報を含む画像、例えば、著作権情報（コピーライト）を示す画像とすることで、製造元の著作権を守りつつ、ユーザ所望の画面を表示することができる。なお、編集可能領域および編集不可能領域の設定方法は任意であり、編集可能領域を画面上側に、編集不可能領域を画面下側に設定しても良いし、この逆に設定しても良い。また、画面の左右に、編集可能領域および編集不可能領域を設定するようにしても良い。また、編集可能領域および編集不可能領域の大きさは同一であっても良いし異なっていても良い。また、ＰＣ（パーソナルコンピュータ）等の外部装置からビットマップ画像をダウンロードして記憶し、これをオープニング画面として表示することも可能である。
【０００７】
本発明のテープ印刷装置において、ビットマップ画像およびテキストデータの少なくとも一方を作成するための画面情報作成手段を、さらに備え、画面情報記憶手段は、作成されたビットマップ画像およびテキストデータの少なくとも一方を記憶することが好ましい。
【０００８】
この構成によれば、ユーザが所望するビットマップ画像やテキストデータを作成することができ、これを画面情報記憶手段に記憶させることができる。これにより、ユーザが独自の作成したビットマップ画像やテキストデータをオープニング画面に表示することができる。
【０００９】
本発明のテープ印刷装置において、オープニング画面およびクロージング画面のそれぞれの表示時間を設定する時間設定手段を、さらに備え、表示手段は、時間設定手段による設定にしたがってオープニング画面およびクロージング画面を表示することが好ましい。
【００１０】
この構成によれば、オープニング画面およびクロージング画面の表示時間を設定することができる。これにより、ユーザの好みに応じて、オープニング画面およびクロージング画面の表示時間を変更することができる。
【００１１】
本発明のテープ印刷装置において、編集可能領域を表示する「表示」と編集可能領域を表示しない「非表示」とを切り替える表示状態切替手段を、さらに備え、表示手段は、表示状態切替手段により「非表示」に切り替えられた場合、編集不可能領域の所定の画像のみ表示することが好ましい。
【００１２】
この構成によれば、編集可能領域に割り当てられたビットマップ画像やテキストデータを、画面に表示するか否かを切り替えることができる。これにより、ユーザは好みに応じて、オープニング画面およびクロージング画面の編集可能領域の画像の表示／非表示を切り替えることができ、例えば、ユーザが独自に作成した画面を他人に見せたくない場合など表示を消すことができる。
【００１３】
本発明のテープ印刷装置において、オープニング画面およびクロージング画面のいずれか一方の編集可能領域を構成する１以上のビットマップ画像を１セットとし、画面情報記憶手段は、複数セットのビットマップ画像を記憶し、画面生成手段は、所定時間間隔で、複数セットのビットマップ画像を１セットずつ編集可能領域に割り当てることで、動画形式のオープニング画面およびクロージング画面のいずれか一方を生成し、表示手段は、生成されたオープニング画面およびクロージング画面のいずれか一方を表示することが好ましい。
【００１４】
この構成によれば、オープニング画面またはクロージング画面の編集可能領域を構成する１以上のビットマップ画像を１セットとして記憶し、これらを所定時間間隔で１セットずつ編集可能領域に割り当てることで、動画形式のオープニング画面およびクロージング画面を生成して表示することができる。これにより、例えば、ストーリ性をもたせた複数セットのビットマップ画像を記憶させることで、アニメーション（動画）のようなオープニング画面およびクロージング画面を作成することができ、テープ印刷装置などの電子機器における無機質な雰囲気を和らげることができる。
【発明を実施するための最良の形態】
【００１５】
以下、添付の図面に基づいて、本発明の一実施形態に係るテープ印刷装置について説明する。また、クロージング画面の作成や表示等は、オープニング画面の作成や表示等の処理手順と同様の手順でできるため、本実施形態ではオープニング画面についてのみ説明する。
【００１６】
図１は、本実施形態に係るテープ印刷装置１の開閉蓋４を開いた状態の外観斜視図である。図１に示すようにテープ印刷装置１は、装置ケース２により外装が形成され、装置ケース２の前部上面には各種入力キーを備えたキーボード３が配置されると共に、後部上面には、その左部に開閉蓋４が取り付けられ、その右部には表示画面５（表示手段）が配設されている。開閉蓋４の内側にはテープカートリッジＣを装着するためのカートリッジ装着部６が窪入形成されており、テープカートリッジＣは、開閉蓋４を開放した状態でカートリッジ装着部６に着脱可能に装着される。また、開閉蓋４にはこれを閉じた状態でテープカートリッジＣの装着／非装着を視認するための覗き窓７が形成されている。
【００１７】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるためのシフトキーを備えるなど、一般のワードプロセッサ等と同様である。また、機能キー群３ｂには、印刷実行を指示するための［印刷］キー１１、電源の投入／切断（電源オン／オフ）を操作する[電源]キー１２、カーソル移動やスクロール操作を行うためのカーソルキー（［↓］，［↑］，［←］，［→］）１３、装置の環境設定を行うための[環境設定]キー１４、選択候補（選択肢）の選択および確定操作を行うための[選択]キー１５などが含まれる。
【００１８】
表示画面５は、液晶ディスプレイで形成されている。表示画面５は、９６ドット（Ｘ方向）×６４ドット（Ｙ方向）の画像データを表示可能となっており、ユーザがキーボード３を用いて入力した入力情報に基づく編集結果、および当該編集結果に基づいて生成された印刷データ等を確認したりする際に用いられる。また、ユーザによる電源投入操作に伴うオープニング画面５ａ（図２参照）の表示に用いられる（詳細は後述する）。
【００１９】
装置ケース２の左側部には、カートリッジ装着部６と外部とを連通するテープ排出口２１が形成され、このテープ排出口２１には、送り出した印刷テープＴを切断するためのテープカッタ２２が臨んでいる。そして、テープ排出口２１から印刷済みの印刷テープＴが所定長さだけ送り出され、送りを一旦停止させた状態で、この印刷済みの印刷テープＴをテープカッタ２２により切断することにより、短冊状のラベルを作成する。なお、切断処理については、自動カットをするまたはしないの選択肢によりカッタモータ２３（図２参照）の駆動を設定できる。
【００２０】
一方、カートリッジ装着部６には、ヘッドカバー２５内にサーマルタイプの印刷ヘッド２６が内蔵されたヘッドユニット２４と、印刷ヘッド２６に対峙するプラテン駆動軸２７と、後述のインクリボンＲを巻き取る巻き取り駆動軸２８と、後述のテープリール３２の位置決め突起２９とを備えている。また、カートリッジ装着部６の下側には、プラテン駆動軸２７および巻き取り駆動軸２８を回転させるテープ送りモータ３０（図２参照）が内蔵されている。
【００２１】
テープカートリッジＣは、カートリッジケース３１内部の上部中央部に、一定の幅（４．５ｍｍ〜４８ｍｍ程度）の印刷テープＴを巻回したテープリール３２と、右下部にインクリボンＲを巻回したリボンリール３３とを収容して構成されており、印刷テープＴとインクリボンＲは同じ幅で構成されている。また、テープリール３２の左下部には前記ヘッドユニット２４を覆うヘッドカバー２５に差し込まれるための貫通孔３４が形成されている。さらに、貫通孔３４に差し込まれたヘッドユニット２４は印刷テープＴとインクリボンＲとが重なる部分に対応して、前記プラテン駆動軸２７に嵌合されて回転駆動するプラテンローラ３５が配置されている。一方、前記リボンリール３３に近接してリボン巻き取りリール３６が配置され、リボンリール３３から繰り出されたインクリボンＲは、ヘッドカバー２５を周回するように配置され、リボン巻き取りリール３６に巻き取られるようになっている。
【００２２】
テープカートリッジＣがカートリッジ装着部６に装着されると、ヘッドカバー２５に貫通孔３４が、位置決め突起２９にテープリール３２の中心孔が、巻き取り駆動軸２８にリボン巻き取りリール３６の中心孔がそれぞれ差し込まれ、印刷テープＴおよびインクリボンＲを挟み込んで印刷ヘッド２６がプラテンローラ３５に当接して印刷が可能になる。その後、ユーザが表示画面５の編集結果を確認しながらキーボード３により所望のテキスト（文字、数字、記号、簡易図形等のキャラクタ）や画像を入力し、印刷を指示すると、テープ印刷装置１は、テープ送りモータ３０によりテープカートリッジＣから印刷テープＴを繰り出し、印刷ヘッド２６の発熱素子を選択的に発熱させることにより印刷テープＴに所望の印刷を行う。印刷テープＴの印刷済み部分はテープ排出口２１から随時外部に送り出され、印刷を完了すると、テープ送りモータ３０は、余白分を含むテープ長さの位置まで印刷テープＴの送りを行った後、その送りを停止する（その後、切断処理に移行する）。
【００２３】
一方、印刷テープＴは、裏面に粘着剤層が形成された記録テープＴａと、この粘着剤層により記録テープＴａに貼り付けられた剥離テープＴｂとから構成されている。そして、印刷テープＴは、記録テープＴａを外側にし、かつ剥離テープＴｂを内側にしてロール状に巻回されてカートリッジケース３１内に収容されている。また、印刷テープＴは、テープ種別（テープ幅、テープの地色、地模様、材質（質感）など）が異なる複数種のものが用意されており、各カートリッジケース３１には、このうち１種類の印刷テープＴおよびインクリボンＲが収容されている。また、カートリッジケース３１の裏面にはテープカートリッジＣの種別を特定する複数の孔（図示省略）が設けられている。また、複数の孔に対応してカートリッジ装着部６には、これらを検出するテープ識別センサ（マイクロスイッチ等）３７（図２参照）が、複数設けられており、このテープ識別センサ３７により複数の孔の状態を検出することで、テープ種別を判別できるようになっている。
【００２４】
次に、図２の制御ブロック図を参照し、テープ印刷装置１の制御構成について説明する。テープ印刷装置１は、中央処理装置であるＣＰＵ（Central Processing Unit）４１、ＲＡＭ（Random Access Memory）４２、ＲＯＭ（Read Only Memory）４３、フラッシュＲＯＭ４４、表示画面５、キーボード３、カッタモータ２３、テープカッタ２２、テープ送りモータ３０、印刷ヘッド２６およびテープ識別センサ３７を備えている。また、ＣＰＵ４１は、ＲＯＭ４３、フラッシュＲＯＭ４４、表示画面５、キーボード３、カッタモータ２３、テープ送りモータ３０、印刷ヘッド２６およびテープ識別センサ３７とバス４５を介して接続されている。
【００２５】
ＲＡＭ４２は、ＣＰＵ４１と直接接続されており、ＣＰＵ４１が各種制御を行う際のワークエリアとして用いられる。
【００２６】
フラッシュＲＯＭ４４は、画面情報記憶領域５１（画面情報記憶手段）を有し、ユーザにより作成された１以上のビットマップ画像（３２ドット×３２ドットのビットマップ画像）やテキストデータが記憶されている。このビットマップ画像やテキストデータは、後述するオープニング画面５ａの編集可能領域５５（図３参照）に表示する（割り当てる）ために用いられる。なお、ユーザにより作成されたビットマップ画像およびテキストデータは、ＲＡＭ４２に記憶するようにしても良い。
【００２７】
ＲＯＭ４３は、ＣＰＵ４１が各種制御を行うための制御プログラムおよび制御データを記憶している。また、ＲＯＭ４３は、第１画像記憶領域５２および第２画像記憶領域５３を有している。第１画像記憶領域５２は、製造元により作成され、オープニング画面５ａの編集可能領域５５に表示する（割り当てる）１以上のビットマップ画像を記憶している。一方、第２画像記憶領域５３は、製造元により作成され、オープニング画面５ａの編集不可能領域５６（図３参照）に表示する（割り当てる）１以上のビットマップ画像を記憶している。例えば、前者のビットマップ画像は製造元固有のブランド名やロゴを示す画像であり、後者のビットマップ画像は著作権に関する情報（コピーライト）を示す画像である。
【００２８】
カッタモータ２３は、テープカッタ２２と接続され、切断手段として機能する。また、テープ送りモータ３０および印刷ヘッド２６は、印刷テープＴ上に印刷を行うための印刷手段として機能する。上記のとおり、印刷ヘッド２６およびテープ識別センサ３７は、カートリッジ装着部６に設けられ、テープ識別センサ３７は、テープカートリッジＣに収容された印刷テープＴの種別を検出する。
【００２９】
ここで、図３を参照して、表示画面５に表示されるオープニング画面５ａの画面構成について説明する。図３（ａ）はオープニング画面５ａの一例である。このオープニング画面５ａは、９６ドット（Ｘ方向）×６４ドット（Ｙ方向）の画面で形成され、編集可能領域５５と編集不可能領域５６と、を有している。なお、図３のオープニング画面５ａ内の点線は、編集可能領域５５と編集不可能領域５６との境界を示す点線であり、実際には表示されない。
【００３０】
編集可能領域５５は、オープニング画面５ａの上側の３２ドット×９６ドットの領域から成る。この編集可能領域５５は、ユーザによる編集が可能な領域であり、ユーザが独自に作成した画像やテキストを表示することができる。編集可能領域５５にユーザが作成した画像を表示する場合、図３（ｂ）に示すように、この編集可能領域５５を、３２ドット×３２ドットの３つの領域（領域５５ａ、領域５５ｂ、領域５５ｃ）として見なす。そして、それぞれの領域５５ａ、５５ｂ、５５ｃに、画面情報記憶領域５１に記憶した３２ドット×３２ドットのビットマップ画像を割り当て（合計３枚のビットマップ画像を割り当て）、オープニング画面５ａを生成する。また、テキストデータを編集可能領域５５に表示する場合は、通常のテキストデータを表示画面５に表示するときと同様に、編集可能領域５５にテキストデータを表示する。
【００３１】
一方、編集不可能領域５６は、ユーザによる編集が不可能な領域であり、オープニング画面５ａの下側の３２ドット×９６ドットの領域からなる。この編集不可能領域５６には、予めテープ印刷装置１の製造元により作成されたビットマップ画像（第２画像記憶領域５３のビットマップ画像）が割り当てられる。この編集不可能領域５６に表示される表示内容としては、例えば、製造元の著作権に関する情報等、製造元にとって重要な情報が表示される。なお、図３（ｃ）に示すように、編集可能領域５５と編集不可能領域５６との上下の関係が逆になるようにしても良い。
【００３２】
次に、図４のフローチャートを参照して、オープニング画面５ａを表示する手順について説明する。まず、ユーザにより[電源]キー１２が押されると、テープ印刷装置１は電源をオンにする（Ｓ０１）。この時、テープ印刷装置１は、画面情報記憶領域５１（フラッシュＲＯＭ４４）にユーザが作成したビットマップ画像またはテキストデータが存在するか否かを判別する（Ｓ０２）。
【００３３】
ユーザが作成したビットマップ画像またはテキストデータが存在する場合（Ｓ０３；Ｙｅｓ）、テープ印刷装置１は、当該ビットマップ画像またはテキストデータをオープニング画面５ａの編集可能領域５５に割り当てると共に（Ｓ０４）、第２画像記憶領域５３（ＲＯＭ４３）に記憶されたビットマップ画像をオープニング画面５ａの編集不可能領域５６に割り当て（Ｓ０５）、オープニング画面５ａを生成する（Ｓ０６，画面生成手段）。そして、テープ印刷装置１は、当該オープニング画面５ａを所定時間表示する（Ｓ０７）。なお、オープニング画面５ａの表示中には、テープ印刷装置１は、装置本体の初期化や設定等の各種チェック等を行っている。
【００３４】
一方、ユーザが作成したビットマップ画像またはテキストデータが存在しない場合（Ｓ０３；Ｎｏ）、テープ印刷装置１は、第１画像記憶領域５２（ＲＯＭ４３）に記憶されたビットマップ画像をオープニング画面５ａの編集可能領域５５に割り当てると共に（Ｓ０８）、第２画像記憶領域５３に記憶されたビットマップ画像を編集不可能領域５６に割り当て（Ｓ０５）、オープニング画面５ａを生成する（Ｓ０６）。そして、テープ印刷装置１は、当該オープニング画面５ａを所定時間表示する（Ｓ０７）。
【００３５】
次に、図５および図６の画面遷移図を参照して、ビットマップ画像を作成し、当該ビットマップ画像をオープニング画面５ａに表示する手順について説明する。図５に示す画面Ｄ０１は、なにも入力されていない状態のテキスト編集画面（表示画面５）であり、１行目の入力であることを示す行頭マーク（数字「１」を四角で囲ったマーク）Ｍと、編集位置を示すカーソルＫと、を表示する。
【００３６】
画面Ｄ０１の状態で、ユーザにより[環境設定]キー１４が押されると、テープ印刷装置１は、環境設定画面を表示する（Ｄ０２）。次に、画面Ｄ０２の状態で、［↓］キー１３が３回押されると、「起動画面変更」を反転表示し（Ｄ０３）、さらに画面Ｄ０３の状態から［選択］キー１５が押されると、起動画面変更画面を表示する（Ｄ０４）。
【００３７】
次に、画面Ｄ０４に示すように、「画面編集」を反転表示させた状態で［選択］キー１５が押されると、起動画面編集画面を表示する（Ｄ０５）。この画面Ｄ０５では、新規にビットマップ画像を作成し、当該ビットマップ画像をオープニング画面５ａに表示する画像として登録する「登録（画面情報作成手段）」と、既にオープニング画面５ａに表示する画像として登録されているビットマップ画像を修正する「修正」の選択肢が表示される。ここでは、「登録」を選択した場合について説明する。
【００３８】
画面Ｄ０５において、「登録」を反転表示させた状態で［選択］キー１５が押されると、画像登録画面を表示する（Ｄ０６）。この画面Ｄ０６では、画面左側にビットマップ画像をプレビュー表示する画像表示領域６１、画面右側下部に当該ビットマップ画像の登録番号Ｎを表示する（ここでは「１」）。この登録番号Ｎは、上述した編集可能領域５５を３つに分割した領域５５ａ、５５ｂ、５５ｃに対応付けられた番号であり、本実施形態では、登録番号Ｎが「１」のビットマップ画像は編集可能領域５５の領域５５ａに割り当てられ、登録番号Ｎが「２」のビットマップ画像は編集可能領域５５の領域５５ｂに割り当てられ、登録番号Ｎが「３」のビットマップ画像は編集可能領域５５の領域５５ｃに割り当てられる。
【００３９】
この画面Ｄ０６の状態で、［選択］キー１５が押されると、画像作成画面を表示する（Ｄ０７）。画像作成画面は、一般的な外字作成の画面と同様であり、画面左側にビットマップ画像を作成（描画）する描画領域６３を表示している。この描画領域６３の右上頂点のドットには、編集カーソルＫ２を表示しており、ビットマップ画像の作成は、この編集カーソルＫ２を用いて行われる。
【００４０】
一方、画像作成画面の右側には、カーソル位置６４（３２（Ｘ方向）×３２（Ｙ方向））と、編集メニュー６５を表示している。カーソル位置６４は、描画領域６３の左下頂点のドット位置を「０×０」とした時の編集カーソルＫ２の位置を示したものであり、カーソルキー１３の操作に伴ってその値が変化する。
【００４１】
編集メニュー６５は、「１  普通」、「２  黒塗」および「３  白塗」の３種類があり、ユーザによりいずれか１つが選択される。ここで、「１  普通」が選択された場合は、１ドット単位で対象となるドット情報を反転させることができる。この場合、カーソルキー１３を用いて編集カーソルＫ２を所定のドットまで移動させ、シフトキー（図示省略）を押すことで、黒色を白色（あるいは、白色を黒色）に反転させることができる。
【００４２】
また、「２  黒塗」が選択された場合は、編集カーソルＫ２で指定された２つのドットを対角線とする四角形の範囲に含まれるドット群のドット情報を全て黒色に設定することができる。この場合、カーソルキー１３を用いて１つ目のドットが指定された後、シフトキーが押されると、対角線の一方の位置を決定する。さらに、カーソルキー１３を用いて２つ目のドットが指定された後、シフトキーが押されると、対角線のもう一方の位置を決定したことになり、この２つのドットを結ぶ線を対角線とする四角形の範囲に含まれるドット群が全て黒色に設定される。
【００４３】
また、「３  白塗」が選択された場合は、「２  黒塗」が選択された場合と同様に、編集カーソルＫ２で指定された２つのドットを対角線とする四角形の範囲に含まれるドット群のドット情報を全て白色に設定することができる。
【００４４】
この画面Ｄ０７で、ユーザにより編集メニュー６５のいずれかが選択され、カーソルキー１３やシフトキーが操作されることにより、登録番号Ｎが「１」のビットマップ画像（３２ドット×３２ドット）を作成（描画）する。そして、当該ビットマップ画像を作成した後（描画した後）、［選択］キー１５が押されると、登録番号Ｎが「１」のビットマップ画像の登録が完了した旨、および次のビットマップ画像（登録番号Ｎが「２」のビットマップ画像）の作成開始を通知する画面を表示する（Ｄ０８）。
【００４５】
この画面Ｄ０８の状態で、［選択］キー１５が押されると、登録番号Ｎが「２」となった画像登録画面を表示する（Ｄ０９）。以下、上述と同様の手順で登録番号Ｎが「２」のビットマップ画像、および登録番号Ｎが「３」のビットマップ画像を作成する（Ｄ１０〜Ｄ１４）。そして、画面Ｄ１４の表示により、３枚のビットマップ画像（登録番号Ｎが「１」、「２」、「３」のビットマップ画像）の作成が完了となる。
【００４６】
次に、画面Ｄ１４の状態で、［選択］キー１５が押されると、起動画面の設定を変更する旨等のメッセージを表示して、テキスト編集画面に戻る（Ｄ１５）。ここで、テープ印刷装置１の電源をオフにし、再度電源をオンにすると、オープニング画面５ａの編集可能領域５５に画面Ｄ０７、Ｄ１０および画面Ｄ１３で作成したビットマップ画像を表示し、編集不可能領域５６にＲＯＭ４３（第２画像記憶領域５３）に記憶されているビットマップ画像（ここでは著作権情報）が表示される（Ｄ１６）。これにより、ユーザが独自に作成したビットマップ画像をオープニング画面５ａに表示することができる。
【００４７】
次に、図７の画面遷移図を参照して、テキストデータを作成し、当該テキストデータをオープニング画面５ａに表示する手順について説明する。まず、図５の画面０４の状態で、［↓］キー１３が１回押されると、テープ印刷装置１は「文字編集」を反転表示する（Ｄ２１）。そして、画面Ｄ２１の状態から［選択］キー１５が押されると、テープ印刷装置１は文字編集画面を表示する（Ｄ２２）。この文字編集画面は、２行分のテキスト入力が可能となっている。この画面Ｄ２２において、テープ印刷装置１は、ユーザの入力操作に伴いテキストを入力する（Ｄ２３）。次に、画面Ｄ２３の状態で、［選択］キー１５が押されると、テープ印刷装置１は、起動画面の設定を変更する旨等のメッセージを表示して、テキスト編集画面に遷移する（Ｄ２４）。ここで、テープ印刷装置１の電源をオフにし、再度電源をオンにすると、画面Ｄ２３で作成したテキストが、オープニング画面５ａの編集可能領域５５に表示される（Ｄ２５）。これにより、ユーザが独自の作成したテキストデータをオープニング画面５ａに表示することができる。
【００４８】
次に、図８の画面遷移図を参照して、オープニング画面５ａの表示時間を変更する手順について説明する。まず、図５の画面０４の状態で、［↓］キー１３が２回押されると、テープ印刷装置１は「表示時間設定（時間設定手段）」を反転表示する（Ｄ３１）。そして、画面Ｄ３１の状態で［選択］キー１５が押されると、テープ印刷装置１は表示時間設定画面を表示する（Ｄ３２）。この表示時間設定画面では、オープニング画面５ａの表示時間を何秒にするかを選択することができる。本実施例では、「１秒」、「２秒」、「５秒」の３つの候補から選択するようになっているが、あくまでも一例であり、これに限るものではない。
【００４９】
この画面Ｄ３２の状態で、［↓］キー１３が２回押されると、テープ印刷装置１は、「５秒」を反転表示する（Ｄ３３）。ここで、［選択］キー１５が押されると、テープ印刷装置１は、オープニング画面５ａの表示時間を「５秒」に設定し、その旨を画面に表示する（Ｄ３４）。この設定後、テープ印刷装置１の電源をオンにすると、オープニング画面５ａが５秒間表示される。この表示時間設定により、ユーザの好みに応じて、オープニング画面５ａの表示時間を変更することができる。
【００５０】
次に、図９の画面遷移図を参照して、オープニング画面５ａの「表示」と「非表示」とを切り替える手順について説明する。なお、オープニング画面５ａの「表示」と「非表示」との切り替えは、編集可能領域５５のみに有効であり、編集不可能領域５６のビットマップ画像は、「表示」／「非表示」の設定に関わらず、上述で設定した表示時間だけ表示されるものとする。
【００５１】
まず、図５の画面０４の状態で、［↓］キー１３が３回押されると、テープ印刷装置１は「表示状態設定（表示状態切替手段）」を反転表示する（Ｄ４１）。そして、画面Ｄ４１の状態で［選択］キー１５が押されると、テープ印刷装置１は、表示状態設定画面を表示する（Ｄ４２）。この表示状態設定画面では、オープニング画面５ａの編集可能領域５５にビットマップ画像（またはテキストデータ）を表示する「表示」と、表示しない「非表示」と、が選択できる。
【００５２】
この画面Ｄ４２の状態で、［↓］キー１３が１回押されると、テープ印刷装置１は、「非表示」を反転表示する（Ｄ４３）。ここで、［選択］キー１５が押されると、テープ印刷装置１は、オープニング画面５ａの編集可能領域５５を非表示にし、編集不可能領域５６のみを表示するように設定する。そして、その旨を画面に表示する（Ｄ４４）。この設定後、テープ印刷装置１の電源をオフにし、再度電源をオンにすると、たとえ画面情報記憶領域５１や第１画像記憶領域５２に編集可能領域５５に表示するビットマップ画像（またはテキストデータ）があったとしても、これを表示せず、編集不可能領域５６にのみビットマップ画像（第２画像記憶領域５３のビットマップ画像）を表示させたオープニング画面５ａを表示する（Ｄ４５）。この表示状態設定により、ユーザは好みに応じて、オープニング画面５ａの編集可能領域５５の表示／非表示を切り替えることができ、例えば、ユーザが独自に作成した画面を他人に見せたくない場合など表示を消すことができる。
【００５３】
以上のように、本実施形態によれば、テープ印刷装置１の電源操作に伴い表示されるオープニング画面５ａを、ユーザにより編集可能な編集可能領域５５と、所定の画像が割り当てられ、ユーザによる編集が不可能な編集不可能領域５６とで構成する。そして、画面情報記憶領域５１に記憶した１以上のビットマップ画像またはテキストデータを当該編集可能領域５５に割り当て、オープニング画面５ａを生成する。そして、電源操作に伴ってこのオープニング画面５ａを表示する。つまり、編集可能領域５５に割り当てるビットマップ画像またはテキストデータを変更することで、様々なオープニング画面５ａを生成して表示することができる。これにより、例えば、ユーザが所望するビットマップ画像やテキストデータを画面情報記憶領域５１に記憶させておくことにより、ユーザの好みに応じた（ユーザオリジナルの）オープニング画面５ａを生成して表示することができる（ユーザが、オープニング画面５ａを変更することができる）。また、オープニング画面５ａの編集不可能領域５６に割り当てられる所定の画像を、製造元にとって重要な情報を含む画像、例えば、著作権情報（コピーライト）を示す画像とすることで、製造元の著作権を守りつつ、ユーザ所望のオープニング画面５ａを表示することができる。
【００５４】
なお、本実施形態では、オープニング画面５ａの編集可能領域５５および編集不可能領域５６のサイズを同一サイズ（それぞれ、３２ドット×９６ドット）としているが、これに限らず、編集可能領域５５と編集不可能領域５６とを異なるサイズで設定しても良い。
【００５５】
また、編集可能領域５５に割り当てる３２ドット×３２ドットのビットマップ画像３枚を１セットとして、これを画面情報記憶領域５１に複数セット記憶し、これら複数セットのビットマップ画像を所定時間間隔で１セットずつ編集可能領域５５に割り当てることで、動画形式のオープニング画面５ａを生成して表示するようにしても良い。これにより、例えば、ストーリ性をもたせた複数セットのビットマップ画像を記憶させることで、アニメーション（動画）のようなオープニング画面５ａを作成することができ、テープ印刷装置１などの電子機器における無機質な雰囲気を和らげることができる。
【００５６】
また、本実施形態では、編集可能領域５５を３２ドット×３２ドットの３個の領域５５ａ、５５ｂ、５５ｃに分け、それぞれの領域に３２ドット×３２ドットのビットマップ画像を割り当てているが、これに限らず、例えば、編集可能領域５５を１６ドット×１６ドットの１２個の領域に分け、それぞれの領域に１６ドット×１６ドットのビットマップ画像を割り当てることで、オープニング画面５ａを作成するようにしても良い。
【００５７】
また、ＰＣ（パーソナルコンピュータ）等の外部装置で作成したビットマップ画像をダウンロードしてフラッシュＲＯＭ４４（画面情報記憶領域５１）に記憶し、これを編集可能領域５５に割り当ててオープニング画面５ａを生成することも可能である。この場合、ダウンロード専用のメニューを設け、ダウンロードしたビットマップ画像が自動的に編集可能領域５５の各領域５５ａ、５５ｂ、５５ｃに割り当てられるようにすることが好ましい。
【００５８】
また、本実施形態では、オープニング画面５ａの作成や表示の手順についてのみ述べているが、これに限らず、クロージング画面においても同様の手順で作成や表示を行うことができる。この場合、図５の画面Ｄ０３において、「終了画面変更」を選択すれば良い。
【００５９】
また、本実施形態では、オープニング画面５ａを「非表示」に設定した場合、編集可能領域５５のみを非表示とし、編集不可能領域５６は、設定に関わらず必ず表示させるようにしているが、クロージング画面においては、「非表示」に設定された場合、編集不可能領域５６も非表示にするようにしても良い。
【００６０】
また、上述した実施例によらず、テープ印刷装置１の装置構成やオープニング画面５ａおよびクロージング画面の画面構成、並びにオープニング画面５ａおよびクロージング画面の作成方法や表示方法を含む処理工程等について、本発明の要旨を逸脱しない範囲で、適宜変更も可能である。
【図面の簡単な説明】
【００６１】
【図１】本発明の一実施形態に係るテープ印刷装置の開蓋状態における外観斜視図である。
【図２】本発明の一実施形態に係るテープ印刷装置の制御ブロック図である。
【図３】オープニング画面の画面構成について説明する図である。
【図４】オープニング画面を表示する手順について説明するフローチャートである。
【図５】作成したビットマップ画像をオープニング画面に表示する手順について説明する画面遷移図である。
【図６】作成したビットマップ画像をオープニング画面に表示する手順について説明する画面遷移図である。
【図７】作成したテキストをオープニング画面に表示する手順について説明する画面遷移図である。
【図８】オープニング画面の表示時間を変更する手順について説明する画面遷移図である。
【図９】オープニング画面の「表示」と「非表示」とを切り替える手順について説明する画面遷移図である。
【符号の説明】
【００６２】
１…テープ印刷装置  ５…表示画面  ５ａ…オープニング画面  ５１…画面情報記憶領域  ５２…第１画像記憶領域  ５３…第２画像記憶領域  ５５…編集可能領域  ５６…編集不可能領域
【図１】
0005262207.tif 000002
【図２】
0005262207.tif 000003
【図３】
0005262207.tif 000004
【図４】
0005262207.tif 000005
【図５】
0005262207.tif 000006
【図６】
0005262207.tif 000007
【図７】
0005262207.tif 000008
【図８】
0005262207.tif 000009
【図９】
0005262207.tif 000010